(57)【特許請求の範囲】
【請求項１】
第１テープ幅を有する第１磁気テープに適用されるデジタル記録フォーマットに対応した記録データを、前記第１テープ幅よりも広い第２テープ幅を有する第２磁気テープに形成される１つのトラックに対して、前記デジタル記録フォーマットにおける少なくとも２トラック分の記録データを連続して記録し、前記記録データを前記第２磁気テープから再生するための磁気記録再生装置であり、
固定ドラムと、
前記固定ドラムに対して回転する回転ドラムであって、前記デジタル記録フォーマットにおける少なくとも２トラック分の記録データを前記第２磁気テープに記録し、あるいはアナログ記録フォーマットの記録データを前記第２磁気テープに記録するための磁気ヘッドを有する前記回転ドラムと、
前記固定ドラムと前記回転ドラムとの間で、前記磁気ヘッドに与える記録信号と前記磁気ヘッドで得られる再生信号を、非接触で電磁伝送するための電磁伝送装置と、
を備え、
前記電磁伝送装置は、前記回転ドラムに設定されて電磁伝送用の前記第１巻線を備えるロータコアと、前記固定ドラムに設定されて前記第１巻線との間で電磁伝送を行うための電磁伝送用の第２巻線を備えるステータコアと、を有し、
前記ロータコアの前記第１巻線の巻線数と前記ステータコアの前記第２巻線の巻線数のステップアップ比率が、２：３に設定されていることを特徴とする磁気記録再生装置。
【請求項２】
前記ロータコア側には前記第１巻線が２ターン巻かれ、前記ステータ側には前記第２巻線が３ターン巻かれ、前記電磁伝送装置の前記ロータコアとステータコアは、円盤である請求項１に記載の磁気記録再生装置。
【請求項３】
前記第１磁気テープの前記第１テープ幅が６．３５ｍｍで、前記第２磁気テープの前記第２テープ幅が８ｍｍである請求項１に記載の磁気記録再生装置。
【発明の詳細な説明】
【０００１】
【発明の属する技術分野】
本発明は、磁気テープに対してデジタル信号の記録又は再生をするデジタル信号の磁気記録再生装置に関するものである。
【０００２】
【従来の技術】
近年、デジタルのビデオ信号及びデジタルのオーディオ信号を磁気テープに記録する家庭用のカメラ一体型デジタルビデオテープレコーダや家庭用の据え置き型のデジタルビデオテープレコーダが登場している。
【０００３】
このようなデジタルビデオテープレコーダの記録方式として、いわゆるＤＶ方式と呼ばれるフォーマットがある（ＩＥＣ  ６１８３４  ｈｅｌｉｃａｌ  ｓｃａｎ  ｄｉｇｉｔａｌ  ｖｉｄｅｏ  ｔａｐｅ  ｃａｓｓｅｔｔｅ  ｒｅｃｏｒｄｉｎｇ  ｓｙｓｔｅｍ  ｕｓｉｎｇ  ６．３５ｍｍ  ｍａｇｎｅｔｉｃ  ｔａｐｅ  ｆｏｒ  ｃｏｎｓｕｍｅｒｓ（５２５／６０，６２５／５０，１１２５／６０ａｎｄ１２５０／５０ｓｙｓｔｅｍｓ）。このＤＶ方式では、使用するビデオテープのテープ幅が６．３５ｍｍ（＝１／４インチ）となっており、従来のアナログビデオテープレコーダの記録方式（例えば８ｍｍ方式：ＩＥＣ  ６０８４３  ｈｅｌｉｃａｌ  ｓｃａｎ  ｖｉｄｅｏ  ｔａｐｅ  ｃａｓｓｅｔｔｅ  ｒｅｃｏｒｄｉｎｇ  ｓｙｓｔｅｍ  ｕｓｉｎｇ  ８ｍｍ  ｍａｇｎｅｔｉｃ  ｔａｐｅ  ｆｏｒ  ｃｏｎｓｕｍｅｒｓ）で使用するビデオテープのテープ幅より狭くなっている。これにも関わらず、ＤＶ方式では、記録する信号を圧縮するとともに記録密度を上げているので、従来の方式よりも高い画質で長時間の記録が可能となっている。
【０００４】
ところで、上記ＤＶ方式と従来のアナログビデオテープレコーダの記録方式（例えば８ｍｍ方式）との間で互換性は無いが、例えば、この従来のアナログ記録方式で使用するテープ幅の広いアナログ用ビデオテープに対して上記ＤＶ方式における信号を記録できれば、高品質の信号をより長時間に渡って記録することが可能になる。また、このように、従来の記録方式で使用するビデオテープに対してＤＶ方式の信号の記録再生が可能になれば、この従来の記録方式で使用するビデオテープの生産設備や部品等の資源を有効に利用できることにもなる。
【０００５】
【発明が解決しようとする課題】
このように、上記ＤＶ方式と従来のアナログビデオテープレコーダの記録方式とを合わせ持つことにより、安価でありランニングコストの安い既存のアナログビデオテープ、たとえば８ｍｍビデオテープを有効利用してアナログフォーマットだけでなくＤＶフォーマットを記録再生する要求がある。
そうでないと、ＤＶ方式のビデオテープを見るためにはＤＶ用のビデオコーダが必要であり、アナログ方式のたとえば８ｍｍのビデオテープを見るためには８ｍｍ用のビデオテープレコーダをそれぞれ用意しなければならない。
そこで本発明は上記課題を解消し、ＤＶ方式の記録データとアナログ方式の記録データを見ることができる磁気記録再生装置を提供することを目的としている。
【０００６】
【課題を解決するための手段】
上記課題を解消するために、請求項１の発明は、第１テープ幅を有する第１磁気テープに適用されるデジタル記録フォーマットに対応した記録データを、前記第１テープ幅よりも広い第２テープ幅を有する第２磁気テープに形成される１つのトラックに対して、前記デジタル記録フォーマットにおける少なくとも２トラック分連続して記録し、前記記録データを第２磁気テープから再生するための磁気記録再生装置であり、固定ドラムと、前記固定ドラムに対して回転する回転ドラムであって、前記デジタル記録フォーマットにおける少なくとも２トラック分の記録データを前記第２磁気テープに記録し、あるいはアナログ記録フォーマットの記録データを前記第２磁気テープに記録するための磁気ヘッドを有する前記回転ドラムと、前記固定ドラムと前記回転ドラムとの間で、前記磁気ヘッドに与える記録信号と前記磁気ヘッドで得られる再生信号を、非接触で電磁伝送するための電磁伝送装置と、を備え、前記電磁伝送装置は、前記回転ドラムに設定されて電磁伝送用の前記第１巻線を備えるロータコアと、前記固定ドラムに設定されて前記第１巻線との間で電磁伝送を行うための電磁伝送用の第２巻線を備えるステータコアと、を有し、前記ロータコアの前記第１巻線の巻線数と前記ステータコアの前記第２巻線の巻線数のステップアップ比率が、２：３に設定されていることを特徴とする磁気記録再生装置である。
【０００７】
請求項１の発明では、回転ドラム側のロータコアの第１巻線の巻線数と、ステータコアの第２巻線の巻線数のステップアップ比率が、２：３に設定されている。
これにより、ＤＶフォーマットの記録データとアナログ記録フォーマットの記録データのいずれもが、電磁伝送装置を用いて記録再生することができる。なぜならば、今回使用した８ｍｍ用のロータリトランスのステップアップ比率は２：５になっており、ＤＶフォーマットの記録、再生するために必要な周波数特性を得る事が出来ない。そこで、ＤＶフォーマット上必要な周波数特性を得るために２：３にしている。これにより、２０ＭＨｚ程度周波数特性となる。ロータリトランスの巻線は製造の面より整数倍しか出来ないために、ステップアップとして選べる４ターン、３ターンの中よりＤＶフォーマットに必要な周波数特性が得られる３ターンに設定している。
【０００８】
請求項２の発明は、請求項１に記載の磁気記録再生装置において、前記ロータコア側には前記第１巻線が２ターン巻かれ、前記ステータ側には前記第２巻線が３ターン巻かれ、前記電磁伝送装置の前記ロータコアとステータコアは、円盤である。
【０００９】
請求項３の発明は、請求項１に記載の磁気記録再生装置において、前記第１磁気テープの前記第１テープ幅が６．３５ｍｍで、前記第２磁気テープの前記第２テープ幅が８ｍｍである。
【００１０】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１１】
まず、本発明の実施の形態として、ビデオデータ及びオーディオデータ等をテープ状のデータ記録媒体である磁気テープに記録する記録方式について説明する。この記録方式は、テープ幅が８ｍｍの磁気テープに対していわゆるＤＶ方式のデジタル信号を記録する方式であり、ここでは、デジタル８ｍｍ方式と呼ぶものとする。なお、以下、本発明を適用した記録方式を説明するのにあたり、従来より知られている記録方式であるＤＶ方式（ＩＥＣ  ６１８３４）及び８ｍｍ方式（ＩＥＣ  ６０８４３）と比較しながら説明する。
【００１２】
図１は、ＤＶ方式のデジタル信号を、ＤＶ方式で用いるテープ幅６．３５ｍｍの磁気テープ（以下、この磁気テープをＤＶテープ（：第１テープ幅を有する第１磁気テープ）と呼ぶ。）に記録したときのトラックパターンを示す。
【００１３】
ＤＶ方式では、図１に示すように、テープ幅が６．３５ｍｍ（＝１／４インチ）のＤＶテープＴ１に対して、回転ドラム装置によりビデオ信号等が回転記録される。この回転ドラム装置の回転ドラムには、例えばアジマス角の異なる２つの磁気ヘッド４１，４３が１８０度対向した位置に設けられている。そのため、この２つの磁気ヘッド４１，４３がＤＶテープＴ１の走行方向に対して所定の角度を以て走査され、この図１に示すように、トラックパターンが形成される。ＤＶ方式では、一方の磁気ヘッドで記録されたトラックをオッドトラックＯ１，Ｏ３，Ｏ５，Ｏ７，Ｏ９とし、他方の磁気ヘッドで記録されたトラックをイーブントラックＥ２，Ｅ４，Ｅ６，Ｅ８，Ｅ１０としたとき、オッドトラック５本及びイーブントラック５本の全部で１０本のトラックに、ＮＴＳＣ方式（Ｎａｔｉｏｎａｌ  Ｔｅｌｅｖｉｓｉｏｎ  Ｓｙｓｔｅｍ  Ｃｏｍｍｉｔｔｅｅ）に対応したビデオ信号が１フレーム分記録される。また、ＰＡＬ方式（Ｐｈａｓｅ  Ａｌｔｅｒｎａｔｉｏｎ  ｂｙ  Ｌｉｎｅ）では、全部で１２本のトラックに１フレーム分のビデオ信号が記録される。
【００１４】
また、このＤＶ方式では、各トラックに記録するデータ全てに２４／２５変換が施される。記録するデータを２４／２５変換することにより、ＡＴＦ（Ａｕｔｏｍａｔｉｃ  Ｔｒａｃｋ  Ｆｏｌｌｏｗｉｎｇ）の為のパイロット信号がトラック全体に重畳される。そして、再生時においてこのパイロット信号を検出することにより、磁気ヘッドのトラッキングを取ることができる。この２４／２５変換では、２４ビット（３バイト）毎のデータに対してエキストラビット（１ビット）を挿入することにより、記録するデータのデータ列に３つの周波数の低域パイロット成分を重畳している。具体的には、記録するデータのランレングスを９以下にし、図２のスペクトラムを満たすような、周波数ｆ０，周波数ｆ１，周波数ｆ２のパイロット信号を各トラックに重畳する。そして、このＤＶ方式では、例えば、オッドトラックＯ１，Ｏ３，Ｏ５，Ｏ７，Ｏ９に周波数ｆ０のパイロット信号を重畳し、イーブントラックＥ２，Ｅ４，Ｅ６，Ｅ８，Ｅ１０に周波数ｆ１及び周波数ｆ２のパイロット信号を交互に重畳する。従って、全体としては各トラックに対して、・・・ｆ０，ｆ１，ｆ０，ｆ２，ｆ０，ｆ１，ｆ０，ｆ２・・・といった繰り返しとなるような各周波数のパイロット信号が記録される。このようなパイロット信号を記録することによって、周波数ｆ０が記録されたトラックを磁気ヘッドが走査するとき、隣接トラックから周波数ｆ１，ｆ２のパイロット成分をクロストーク信号として得ることができ、再生時において安定したトラッキングをかけることができる。
【００１５】
次に図３は、本発明を適用したデジタル８ｍｍ方式のデジタル信号の記録データを、テープ幅が８ｍｍの磁気テープ（以下、この磁気テープを８ｍｍテープ（：第２テープ幅を有する第２磁気テープ）と呼ぶ。）上に記録したときのトラックパターンを示す。
【００１６】
デジタル８ｍｍ方式では、図１のＤＶテープＴ１よりもテープ幅が広い８ｍｍテープＴ２（単に磁気テープとも呼ぶ）に対して、デジタルのビデオ信号等が回転記録される。この８ｍｍテープＴ２は、従来のアナログのビデオ信号を記録する８ｍｍ方式（ＩＥＣ６０８４３）で用いられていた磁気テープと同一である。回転記録をする為の回転ドラム装置４０の回転ドラム２００には、従来のアナログの８ｍｍ方式と同様に、アジマス角の異なる例えば２つの磁気ヘッド４１，４３が回転中心を挟んで１８０度対向した位置に設けられている。そのため、２つの磁気ヘッドが８ｍｍテープの走行方向に対して所定の角度を以て走査され、この図３に示すようなトラックパターンが形成される。
【００１７】
このデジタル８ｍｍ方式では、８ｍｍテープＴ２の１つのトラックに対して、ＤＶ方式における２トラック分のデータを、ＤＶ方式のデータパターンのまま、連続して記録する。すなわち、デジタル８ｍｍ方式では、ＤＶ方式におけるオッドトラックのデータとイーブントラックのデータとを組にして、データの内容は変えずに、１つのトラックに記録している。
【００１８】
例えば、デジタル８ｍｍ方式の８ｍｍテープＴ２では、ＤＶ方式におけるオッドトラックＯ１のデータとイーブントラックＥ２のデータを組にして、１つのトラックに記録する。次のトラックには、オッドトラックＯ３のデータとイーブントラックＥ４のデータを組にして記録する。さらに、オッドトラックＯ５とイーブントラックＥ６、オッドトラックＯ７とイーブントラックＥ８、オッドトラックＯ９とイーブントラックＥ１０、といったように続く８ｍｍテープＴ２上の各トラックに対して、ＤＶ方式におけるそれぞれ連続する２つのトラックのデータを組にして記録する。
【００１９】
従って、デジタル８ｍｍ方式では、８ｍｍテープＴ２の５本のトラックに、ＮＴＳＣに対応したビデオ信号が１フレーム分記録される。また、８ｍｍテープの６本のトラックにＰＡＬに対応したビデオ信号が１フレーム分記録される。
【００２０】
このデジタル８ｍｍ方式では、８ｍｍテープＴ２の１つのトラックに対して、ＤＶ方式における２トラック分のデータとともに拡張データが記録される。
【００２１】
デジタル８ｍｍ方式では、２４／２５変換を施すことにより、ＡＴＦの為の３つの周波数ｆ０，ｆ１，ｆ２のパイロット信号を各トラックに重畳している。すなわち、デジタル８ｍｍ方式における１トラック毎に、ＤＶ方式に対応させれば２トラック毎に、周波数が異なるパイロット信号を記録する。具体的には、ＤＶ方式におけるイーブントラックのデータとオッドトラックのデータの一組からなる１つのトラック毎に、・・・ｆ０，ｆ１，ｆ０，ｆ２，ｆ０，ｆ１，ｆ０，ｆ２・・・といった繰り返しとなる周波数のパイロット信号を記録する。このようにパイロット信号を記録することによって、周波数ｆ０が記録されたトラックを磁気ヘッドが走査するとき、隣接トラックから周波数ｆ１，ｆ２のパイロット成分をクロストーク信号として得ることができ、再生時において安定したトラッキングをかけることができる。なお、このパイロット信号は、拡張データにも記録する。拡張データに記録されるパイロット信号は、そのトラックに記録されるＤＶ方式における２トラック分のデータと同一の周波数とする。
【００２２】
図４は、デジタル８ｍｍ方式における回転ドラム２００への８ｍｍテープＴ２のテープ巻付角を示している。
【００２３】
図４に示すように、デジタル８ｍｍ方式では、２０６°の範囲で８ｍｍテープＴ２が回転ドラム２００に巻き付けられる。１つの磁気ヘッドがこの２０６度の巻付角の範囲内を移動したときに記録される信号が、８ｍｍテープＴ２上における１トラックを構成する。なお、この８ｍｍテープＴ２の巻付角は、従来のアナログの８ｍｍ方式と同様に、２１１°とし、その内の２０６°の範囲に信号を記録するようにしても良い。
【００２４】
図５は、デジタル８ｍｍ方式における１トラック内の有効ラップ角の一例を示す。また、図６は、デジタル８ｍｍ方式における８ｍｍテープＴ２上のトラックパターンを示す。
【００２５】
デジタル８ｍｍ方式では、その有効ラップ角が、図５及び図６に示すように、例えば１７７°となっている。この有効ラップ角内には、２つのサブトラック（ＳｕｂＴｒ＃０，ＳｕｂＴｒ＃１）が設けられている。各サブトラックは、巻付角が８７°の範囲で構成され、ＤＶ方式における１トラック分のデータが、ＤＶ方式のデータフォーマットのまま記録される。この有効ラップ角内には、上述したオッドトラック及びイーブントラックのデータがそのまま１トラック分ずつ連続して記録される。また、有効ラップ角内には、２つのサブトラック（ＳｕｂＴｒ＃０，ＳｕｂＴｒ＃１）の間に、３°のギャップ（ＩＴＧ：Ｉｎｔｅｒ  Ｔｒａｃｋ  Ｇａｐ）が設けられている。
【００２６】
デジタル８ｍｍ方式では、有効ラップ角の前段に、すなわち、トラックのヘッド突入口（入口側）側に、拡張エリアが設けられている。この拡張エリアの巻付角は、２６°となっている。従って、１トラックの巻付角は、拡張エリアの巻付角２６°と、有効ラップ角の１７７°とを併せて、全体で２０６°となる。
【００２７】
また、このデジタル８ｍｍ方式では、回転ドラムの回転位相に同期して発生するスイッチングパルスＳＷＰにより、回転ドラムに設けられた２つの磁気ヘッドが切り換えられる。一方の磁気ヘッド（例えばＡｃｈ）による有効ラップ角内のデータの記録が終了した時点で、スイッチングパルスＳＷＰが切り換えられ、他方の磁気ヘッド（例えばＢｃｈ）の有効ラップ角内のデータの記録が開始する。このスイッチングパルスＳＷＰは、回転ドラムが１８０°回転する毎に切り換えられる。
【００２８】
拡張エリア部分のデータは、例えば後述する拡張用トラック同期情報（Ｅｘ−ＩＴＩ）又は前のトラックのトラック同期情報（ＩＴＩ）により同期が取られ、スイッチングパルスＳＷＰが切り換えられる前から記録が開始される。
【００２９】
このように本発明を適用した磁気テープに対する記録方式では、図３の８ｍｍテープＴ２に対して、ＤＶ方式の２本分のデータをそのままのデータパターンでトラック１本分に連続して記録するようにしているので、テープ面積を有効に使うことができて、より長時間分の記録が可能になっている。言い換えると、同じ時間分の記録を行うのであれば、８ｍｍテープＴ２にＤＶテープＴ１のトラックパターンを１本ずつ記録する場合に比べて、必要なテープ長さを短くすることができ、テープコンサンプションを改善することができる。
【００３０】
もちろん、この記録方式は一例であり、ＤＶ方式のトラック３本分や４本、さらにそれ以上をトラック１本に連続して記録することが可能である。これにより、さらに長時間分の記録が可能になり、逆に、同じ時間分の記録を行うのであれば、必要とされるテープの長さをさらに短くすることが可能となる。
【００３１】
また、この記録方式を用いれば、磁気記録再生装置は、ドラムの回転数を８ｍｍテープのアナログ記録時のたとえば１８００ｒｐｍから４５００ｒｐｍに変更すれば、従来のアナログの８ｍｍビデオテープレコーダのメカデッキ部分をそのまま使用でき、８ｍｍテープＴ２に対して上述したトラックパターンを形成することが可能となる。
【００３２】
なお、キャプスタンのスピード（すなわちテープ送り速度）は、トラックピッチを決定するだけであり、必要なトラックピッチはテープ、ヘッドの特性により、または互換性の有無により決定される項目であり、必要に応じて決めればよい。
【００３３】
次に、有効ラップ角内に記録されるデータのデータフォーマット及び拡張エリア内に記録されるデータのデータフォーマットについて更に詳細に説明する。なお、有効ラップ角内の領域を、拡張エリアに対して通常エリアと呼ぶものとする。
【００３４】
拡張エリアを設けることによって、デジタル８ｍｍ方式では、通常エリアに記録されたデータに上書きすることなく、オーディオデータや画像データのアフターレコーディングをすることができる。特に、十分なギャップと、この拡張エリアのデータの為のトラック同期情報を持つことにより、確実なアフターレコーディングが可能となる。
【００３５】
次に、以上説明したデジタル８ｍｍ方式を用いてビデオデータ及びオーディオデータを記録する磁気記録再生装置について説明する。
【００３６】
図７に、本発明の実施の形態の磁気記録再生装置の概略構成を示す。
本発明の実施の形態の磁気記録再生装置１０は、たとえばいわゆるカメラ一体型のビデオテープレコーダであり、上記デジタル８ｍｍ方式で構成されたビデオデータやオーディオデータを図３の８ｍｍテープＴ２に記録し、また、この８ｍｍテープＴ２からこのビデオデータ等を再生する装置である。
【００３７】
図７の磁気記録再生装置１０は、被写体を撮像してアナログビデオ信号を出力する撮像部１１と、撮像部１１により生成されたアナログビデオ信号をＤＶデータに変換し、また、８ｍｍテープＴ２から読み出したＤＶデータをアナログビデオ信号に変換するＤＶデータ処理部１２と、８ｍｍテープＴ２の拡張エリアに記録する拡張データを生成し、また８ｍｍテープＴ２の拡張エリアから読み出した拡張データのデータ処理をする拡張データ処理部１３、８ｍｍテープＴ２に対してデータの書き込み及び読み出しをする書込／読出部１４と、各部の制御をするメインコントローラ１５とを備えている。
【００３８】
磁気記録再生装置１０は、アナログビデオ信号が出力されるビデオ出力端子１６と、オーディオ信号が入出力されるオーディオ入出力端子１７と、オーディオ入出力端子１７から入力されたオーディオ信号をＤＶデータ処理部１２又は拡張データ処理部１３のいずれかに切り換えて供給し、ＤＶデータ処理部１２又は拡張データ処理部１３のいずれかから出力されたオーディオ信号を切り換えてオーディオ入出力端子から出力するスイッチ１８とを備えている。
【００３９】
図７の撮像部１１は、例えば、レンズ等の光学系と、ＣＣＤと、信号処理回路等の電気系とから構成される。この撮像部１１は、アナログのビデオ信号（輝度信号、赤色差信号、青色差信号）を生成し、このアナログのビデオ信号をＤＶデータ処理部１２に送る。
【００４０】
図７のＤＶデータ処理部１２には、記録時において、撮像部１１から送られたアナログのビデオ信号、オーディオ入出力端子１７を介して外部から供給されたアナログのオーディオ信号、及び、メインコントローラから送られた付加情報が入力される。ＤＶデータ処理部１２は、記録時において、これらの信号及び情報を、ＤＶ方式に対応したデータフォーマットに変換し、ＤＶ方式における１トラック分のデータ（つまり、サブトラック（ＳｕｂＴｒ＃０又は＃１）に書き込むデータ）毎に書込／読出部１４に送る。
また、ＤＶデータ処理部１２は、再生時において、８ｍｍテープＴ２の通常エリア（つまり、有効ラップ角内）から読み出したＤＶデータが、書込／読出部１４から送られる。ＤＶデータ処理部１２は、再生時において、このＤＶデータから、ビデオデータ、オーディオデータ、及び付加情報を分割する。ＤＶデータ処理部１２は、分割したビデオデータをアナログのビデオ信号に変換し、このアナログのビデオ信号をビデオ出力端子１６を介して外部に出力する。また、ＤＶデータ処理部１２は、分割したオーディオデータをアナログのオーディオ信号に変化し、このアナログのオーディオ信号をオーディオ入出力端子１７を介して出力する。また、ＤＶデータ処理部１２は、分割した付加情報を、メインコントローラ１５に送る。
【００４１】
図７の拡張データ処理部１３には、記録時や音声のアフターレコーディング時において、オーディオ入出力端子１７を介して外部から供給されたオーディオ信号、及びメインコントローラから送られる付加情報が入力される。拡張データ処理部１３は、これらの信号及び情報を、拡張エリアに記録するためのデータフォーマットに変換し、この拡張エリアに記録するための拡張データとして書込／読出部１４に送る。また、拡張データ処理部１３には、再生時において、８ｍｍテープＴ２の拡張エリアから読み出した拡張データが、書込／読出部１４から送られる。拡張データ処理部１３は、この拡張データから、オーディオデータ、及び付加情報を分割する。拡張データ処理部１３は、分割したオーディオデータをアナログのオーディオ信号に変化し、このアナログのオーディオ信号をオーディオ入出力端子１７を介して出力する。また、拡張データ処理部１３は、分割した付加情報を、メインコントローラ１５に送る。
【００４２】
なお、この拡張データ処理部１３は、記録する拡張データに２４／２５変換をして、パイロット信号を記録している。このパイロット信号は、そのトラックに記録されるＤＶデータに記録されたパイロット信号と同一の周波数となる。
【００４３】
図７のスイッチ１８は、記録時において通常エリア内のオーディオ領域にオーディオ信号を記録する場合には、ＤＶデータ処理部１２側に端子を切り換えてオーディオ信号をこのＤＶデータ処理部１２に供給する。また、スイッチ１８は、記録時やアフターレコーディング時に拡張エリア内の拡張データ領域にオーディオデータを記録する場合には、拡張データ処理部１３側に端子を切り換えてオーディオ信号をこの拡張データ処理部１３に供給する。また、スイッチ１８は、再生時において通常エリア内のオーディオデータ出力する場合には、ＤＶデータ処理部１２側に端子を切り換えてこのＤＶデータ処理部１２から出力されるオーディオ信号をオーディオ入出力端子から送出する。また、スイッチ１８は、再生時において拡張エリア内のオーディオデータを出力する場合には、拡張データ処理部１３側に端子を切り換えてこの拡張データ処理部１３から出力されるオーディオ信号をオーディオ入出力端子から送出する。
【００４４】
書込／読出部１４は、磁気ヘッドの切り換え制御、回転ドラムの回路制御、８ｍｍテープＴ２の走行速度の制御等を行って、通常エリア及び拡張エリアへの、ＤＶデータ及び拡張データの書き込み及び読み出しを行う。
【００４５】
図７のメインコントローラ１５は、ＤＶデータ処理部１２の制御、拡張データ処理部１３の制御、書込／読出部１４の制御、ＤＶデータ処理部１２及び拡張データ処理部１３に供給する付加情報の生成、８ｍｍテープ１から読み出した付加情報の処理等を行う。また、メインコントローラ１５は、スイッチ１８の切り換え制御も行う。
【００４６】
図８は、図７の書込／読出部１４等の構成例を示している。
回転ドラム装置４０の回転ドラム２００と固定ドラム３００には、８ｍｍの磁気テープＴ２がヘリカルスキャン方式で巻き付けられる。８ｍｍビデオメカデッキ部６００は、テープ走行系４６、ドラムドライブ系４７、ヘッドドライブ系４３等を備えている。
制御部４８は、これらテープ走行系４６、ドラムドライブ系４７及びヘッドドライブ系４３をコントロールする。
【００４７】
制御部４８は、ＳＷＰ発生部４５とＡＴＦ発生部４４及びＤＶデータ処理部１２に接続されている。ＳＷＰ発生部４５は、制御部４８とヘッドドライブ系４３の間に配置されており、このＳＷＰ発生部（Ｓｗｉｔｃｈｉｎｇ  ｐｕｌｓｅ）は、制御部４８の指令により、ヘッドドライブ系４３に対してスイッチングパルスＳＷＰを供給する。たとえばスイッチングパルスＳＷＰがＨｉの期間は、第１磁気ヘッド４１に切り換えられて信号の記録または再生が行なわれ、スイッチングパルスＳＷＰがＬｏｗの期間は第２磁気ヘッド４３に切り換えられて信号の記録または再生を行う。
このために、制御部４８は、回転ドラム装置４０の回転ドラム２００の回転位相を示すＰＧ信号（位相発生信号）に基づき、回転ドラム４０が１８０度回転する毎にＨｉ／Ｌｏｗが切り換えられるスイッチングパルスＳＷＰを発生する。
【００４８】
ＡＴＦ発生部（Ａｕｔｏ  Ｔｒａｃｋｉｎｇ  Ｆｏｌｌｏｗｉｎｇ又はＦｉｎｄｉｎｇ）４４は、制御部４８の指令に基づいて、ＡＴＦパイロット信号ＳＡをＤＶデータ処理部１２に供給する。回転ドラム装置４０の回転ドラム２００の回転位相の制御は、ＡＴＦパイロット信号ＳＡに応じて行われる。すなわち、各トラックに記録されているデータには、ＡＴＦパイロット信号が重畳されており、制御部４８は、周波数ｆ０が記録されたトラックを第１磁気ヘッド４１（あるいは第２磁気ヘッド４３の一方）が走査する時に、隣接トラックから周波数ｆ１，ｆ２のパイロット成分をクロストーク信号として検出して、隣接したトラックからのパイロット信号が等しくなるように磁気テープＴ２のトラッキングをかけるものである。
ＤＶデータ処理部１２は、入力端子１１，１７と出力端子１６，１７に接続されている。
ドラムドライブ系４７は、制御部４８からの指令に基づいて、回転ドラム装置４０を所定の回転数で回転させる。テープ走行系４６は、磁気テープＴ２を所定の速度で走行して案内する。
ヘッドドライブ系４３は、磁気ヘッド４１，４３に作用して、磁気テープＴ２に記録されている信号を再生したり、あるいは磁気テープＴ２に対して信号を記録する様になっている。
【００４９】
磁気記録再生装置１０では、図９のＲＦ信号のクロック周波数（記録レート／１ヘッド）が４１．８５Ｍｂｐｓとなっており、従来のＤＶ方式の記録再生装置と変わらない。第１のサブトラック（ＳｕｂＴｒ＃０）には、従来のＤＶ方式の記録再生装置のオッドトラック（Ｏｃｈ）のデータが記録され、第２のサブトラック（ＳｕｂＴｒ＃１）には、従来のＤＶ方式の記録再生装置のイーブントラック（Ｅｃｈ）のデータが記録される。第１のサブトラック（ＳｕｂＴｒ＃０）と第２のサブトラック（ＳｕｂＴｒ＃１）との間には、巻付角の３度分毎に相当する期間が形成され、第１のサブトラック（ＳｕｂＴｒ＃０）のデータの開始位置から、次の第１のサブトラック（ＳｕｂＴｒ＃０）のデータの開始位置までの回転角が１８０°となる。回転ドラム装置４０上に配されている２つの磁気ヘッド４１，４２は、サブトラック（ＳｕｂＴｒ＃０）及びサブトラック（ＳｕｂＴｒ＃１）の一組のＲＦ信号からなるチャンネル毎に、スイッチングパルスＳＷＰによって交互に切り換えられる。
【００５０】
すなわち、本発明の実施の形態の記録再生装置１０では、ＤＶ方式におけるオッドトラック（Ｏｃｈ）及びイーブントラック（Ｅｃｈ）の一組のＲＦ信号を、１つのチャンネルとして扱っており、したがって、これら一組のＲＦ信号からなる１つのチャンネルを、ドラムが１８０度回転する毎に１本のトラックとして記録することになる。
【００５１】
また、磁気記録再生装置１０におけるＡＴＦパイロット信号は、それら一組のＲＦ信号からなる１つのチャンネルが交互に配置される各トラックに対して、図３のように・・・ｆ０，ｆ１，ｆ０，ｆ２，ｆ０，ｆ１，・・・のような繰り返しとなるように記録される。上述したようなヘッド切り換え及びＡＴＦパイロット信号の組み換えを行い、トラックパターンを形成している。
【００５２】
図１０は、上述した回転ドラム装置４０の一例を示しており、回転ドラム装置４０は既に述べたように回転ドラム２００と固定ドラム３００を備えている。回転ドラム２００は、第１磁気ヘッド４１と第２磁気ヘッド４３を備えており、これらの磁気ヘッド４１，４３は１８０度対向した位置に配置されている。
回転ドラム２００と固定ドラム３００に関連して、電磁伝送装置としてのロータリトランス８００が配置されている。このロータリトランス８００は、図１０と図１１に示すように、ロータコア８１０とステータコア８２０を有している。ロータコア８１０は、回転ドラム２００の下面側に設定して固定され、ステータコア８２０は固定ドラム３００の上側に設定して固定されている。ロータコア８１０とステータコア８２０は、わずかな隙間をおいて、対向して配置されており、ロータコア８１０とステータコア８２０は円盤形状のものである。
【００５３】
磁気ヘッド４３が図８のように磁気テープＴ２に記録されている信号を再生したり、あるいは磁気ヘッド４１，４３が磁気テープＴ２に対して信号を記録する際に、ロータリトランス８００はその記録信号あるいは再生信号を非接触で電磁的に伝送するための装置である。ロータコア８１０とステータコア８２０は、例えば焼結フライト等で作られたものであり、図１２に示すように同心円状の溝８３０が複数本形成されており、その中央部にはセンター穴８４０を有している。
【００５４】
図１３は、ロータコア８１０とステータコア８２０を示しており、図１３のＸ−Ｘ線におけるロータリトランス８００の断面は、図１４に示している。ロータコア８１０とステータコア８２０の間隔ＷＤは、図１４では説明のために大きく書いているが、実際には非常に小さなもので電磁伝送を有効に行なえる距離に設定されている。この間隔ＷＤは、例えば８ｍｍビデオでは２０μｍ〜５０μｍ程度になっている。
【００５５】
上述したようにロータコア８１０の下面側には巻線用の溝８３０が同心円状に複数形成されているとともに、ステータコア８２０の上面側にも巻線用の溝８３０が同心円状に複数本形成されている。これらの溝８３０，８３０は、対面した位置にある。
特徴的なのは、ロータコア８１０の溝８３０に巻かれている巻線９００の巻線数と、ステータコア８２０の溝に巻かれている巻線数１０００の巻線数が異なり、しかも、巻線９００の巻線数が２ターンであって、ステータコア８２０の巻線１０００の巻線数は３ターンになっていることである。
すなわちロータコア８１０の巻線９００の巻線数：ステータコア８２０の巻線１０００の巻線数＝２ターン：３ターンに設定されている。つまり巻線９００：巻線１０００＝２：３のステップアップ比率で巻線されている。
このステップアップ比率とは、（ステータコア８２０の巻線１０００の巻線数）／（ロータコア８１０の巻線９００の巻線数）で表わされ、分母よりも分子が大きい場合の巻線数比率のことである。
ロータコア８１０には、２ターンの巻線９００の他に、クロストーク防止用の１ターンの巻線９０１が、巻線９００と交互に溝８３０に配置されている。同様にしてステータコア８２０の溝８３０に対しても、３ターンの巻線１０００と交互にクロストーク用の１ターン巻線１００１が配置されている。これらクロストーク用の巻線９０１，１００１は、上述のようにたとえば１ターンにすることができる。
【００５６】
このようにロータコア８１０とステータコア８２０の巻線数を設定するのは、次のような理由からである。
図８の８ｍｍビデオのメカデッキ部６００とビデオテープＴ２を使用して、図３に示すようなテープパターンを形成するためには、φ４０ｍｍの８ｍｍ用回転ドラム２００を４５００ｒｐｍで回転させると得られる事が既に報告されている。
【００５７】
本実施の形態はＤＶフォーマットの記録再生だけでなはく、アナログ記録フォーマットで記録再生する際には、回転ドラム２００をＮＴＳＣの場合は１８００ｒｐｍ、ＰＡＬの場合は１５００ｒｐｍに制御する事により、８ｍｍアナログフォーマットも記録再生出来るようにした。
通常、回転ドラムに取り付けられたビデオヘッドがビデオテープに信号を記録するための信号をヘッドアンプより受けたり、ビデオテープに記録された信号を拾ってヘッドアンプに電磁伝送するためには、上述した図１４に示すようなロータリトランス８００が必要である。焼結フェライトで作られたロータリトランス８００のコアには信号を流すための巻線を挿入するため巻線溝が施され、ＤＶや８ｍｍフォーマットを満足するための信号のやり取りが出来るように最適な巻数に設定されている。
従来の８ｍｍアナログビデオテープレコーダの場合、ロータコアの巻線数：ステータコアの巻線数＝２ターン：５ターンになっている。
【００５８】
本実施の形態は、現行のインフラや既存の８ｍｍに使用されているメカデッキとビデオテープを使用し、ＤＶ方式と８ｍｍ方式の両方のフォーマットに使用出来ることが最大の特徴であるが８ｍｍメカデッキのドラムに使用されている従来のロータリトランスの巻線数のステップアップ比率のままでは、ロータリトランスの組み合わせインダクタンスがＤＶ方式に使用しているロータリトランスよりも大きく、ＤＶフォーマットの記録再生が出来る周波数特性を得る事が出来ない。
そのためロータリトランスのコアは８ｍｍ方式と共通にし、ステータコアの巻線の巻数を３ターンに減らすことにより、ロータリトランスの組み合わせインダクタンスを下げて、ＤＶ方式のフォーマット上必要な周波数特性にも対応している。
【００５９】
尚、既存の８ｍｍロータリトランスの流用にとらわれなければ、ロータリトランスの巻線溝の形状の最適化、巻線の線径の見直し等を行え、８ｍｍフォーマットの記録再生において更なる高画質化が可能になる。
【００６０】
最後に本発明の実施例をまとめると以下のようになる。
0004016509.tif 000002
本発明の磁気記録装置を使用することにより、ＤＶ方式のフォーマットと８ｍｍ方式のフォーマットの両方の記録再生が１台の磁気記録装置で可能になる。
そのため、新たにＤＶフォーマットを記録再生したい場合も、既に所有している８ｍｍビデオテープが有効利用出来る。
既存の８ｍｍビデオテープは世界各国で購入可能であり、また価格もＤＶビデオテープと比較すると、安価でありランニングコストも安くなる。
【００６１】
図１５は、上述した磁気ヘッド４１，４３と、回転ドラム２００及び固定ドラム３００を含む記録再生系６００の一例を示している。磁気テープＴ２に対して磁気ヘッド４１，４３が信号を記録したりあるいは磁気テープＴ２の信号を再生するために、ロータコア８１０は、コイル６０６を備えている。同様にしてステータコア８２０もコイル６０８を有している。コイル６０８は記録兼用再生回路６０３に接続されている。
【００６２】
以上のように、本発明の実施の形態の磁気記録再生装置１０では、例えば８ｍｍビデオテープＴ２は、ＤＶ方式で用いられる磁気テープＴ１よりもテープ幅が広いが、このテープＴ２にＤＶ方式のデータを記録することができる。それとともに、ＤＶ方式における２トラック分のデータを、そのデータフォーマットを変えずに、１本のトラックに連続して記録することで、８ｍｍビデオテープ（磁気テープ）Ｔ２のテープ面積を有効に使うことができて、より長時間分の記録を可能にしている。逆に、同じ時間分の記録を行うのであれば、幅広テープにＤＶのトラックパターンを１本ずつ記録する場合に比べて、必要なテープ長さを短くすることができ、テープコンサンプションを改善可能となしている。
【００６３】
また、本発明の実施の形態の記録再生装置１０では、例えば既存の８ｍｍテープレコーダのメカデッキに対して回転ドラムの回転数を変えるだけの簡単な変更と、ＤＶの信号系のスイッチングパルスとＡＴＦパイロット信号の組み換えだけの少ない変更により、ＤＶフォーマットの信号を８ｍｍビデオテープに記録できるため、従来のビデオテープの生産設備や部品等の資源を有効に利用できる。
上述した実施の形態ではロータリトランスのロータコアとステータコアは円盤状のものを図示しているが、これに限らずロータリトランスのロータコア及びステータコアともに円筒状に形成したものであってもよい。
【００６４】
【発明の効果】
以上説明したように、本発明によれば、ＤＶ方式の記録データとアナログ方式の記録データを見ることができる。
【図面の簡単な説明】
【図１】ＤＶ方式のデジタル信号を、ＤＶ方式で用いるテープ幅６．３５ｍｍの磁気テープに記録したときのトラックパターンを示す図である。
【図２】各トラックのデータに重畳されるパイロット信号のスペクトラムを示す図である。
【図３】ビデオデータ及びオーディオデータ等を磁気テープに記録する為の本発明を適用した記録方式のデジタル信号を、テープ幅が８ｍｍの磁気テープ上に記録したときのトラックパターンを示す図である。
【図４】本発明を適用した記録方式における回転ドラムへのテープ巻付角等を説明する為の図である。
【図５】本発明を適用した記録方式における１トラック内の有効ラップ角を説明する為の図である。
【図６】上記本発明を適用した記録方式におけるテープ上のトラックパターンの例を説明する為の図である。
【図７】本発明の実施の形態の磁気記録再生装置のブロック構成図である。
【図８】本発明の実施の形態の磁気記録再生装置の書込／読出部のブロック構成例を示す図である。
【図９】本発明の実施の形態の磁気記録再生装置の記録時における磁気ヘッドの切換タイミング及びＡＴＦパイロット信号の順番を説明する為の図である。
【図１０】回転ドラム装置とロータリトランスの好ましい実施の形態を示す図。
【図１１】回転ドラム装置とロータリトランスを示す側面図。
【図１２】ロータリトランスのロータコアとステータコアの巻線用の溝の例を示す図。
【図１３】ロータリトランスのロータコアとステータコアを示す斜視図。
【図１４】ロータリトランスのロータコアとステータコアの断面構造を示す図。
【図１５】記録再生系の構成例を示す図。
【符号の説明】
４０・・・回転ドラム装置、４１，４３・・・磁気ヘッド、２００・・・回転ドラム、３００・・・固定ドラム、５００・・・溝、８００・・・ロータリトランス（電磁伝送装置）、８１０・・・ロータコア、８２０・・・ステータコア、９００・・・ロータコアの巻線、１０００・・・ステータコアの巻線、ＡＦ・・・エアーフィルム、Ｔ・・・磁気ヘッドの突き出し量、Ｔ１・・・第１磁気テープ（デジタルビデオテープ６．３５ｍｍ幅のテープ）、Ｔ２・・・第２磁気テープ（８ｍｍ幅のテープ）、Ｗ・・・溝の幅
【図１】
0004016509.tif 000003
【図２】
0004016509.tif 000004
【図３】
0004016509.tif 000005
【図４】
0004016509.tif 000006
【図５】
0004016509.tif 000007
【図６】
0004016509.tif 000008
【図７】
0004016509.tif 000009
【図８】
0004016509.tif 000010
【図９】
0004016509.tif 000011
【図１０】
0004016509.tif 000012
【図１１】
0004016509.tif 000013
【図１２】
0004016509.tif 000014
【図１３】
0004016509.tif 000015
【図１４】
0004016509.tif 000016
【図１５】
0004016509.tif 000017